(57)【特許請求の範囲】
【請求項１】
少なくとも４本の長尺体を互いに平行に並べ、各長尺体に多数の固定具を付設し、固定具により４本の長尺体間に延びる多数の板を互いに平行に固定するとともに、各傾斜板を垂直面に対して傾斜させて傾斜板集合体を作り、この傾斜板集合体を沈澱槽内に入れてなる傾斜板沈降装置において、上記固定具に上記長尺体が貫通するための貫通孔と、上記傾斜板を固定するための固定面とを設け、固定具を貫通孔の内面を軸方向に沿って延びる分離面を有する摺動部材と残余の固定具本体の少なくとも２部分に分離し、分離によって生じた固定具本体の隙間を上記長尺体が通過できる大きさとし、摺動部材及び固定具本体の各分離部分に貫通孔の水平方向の軸平面に対して傾斜した摺動面を設け、摺動部材または固定具本体の一方を他方に対して上記軸方向に移動させることにより上記傾斜した摺動面に沿って移動させ、互いに貫通孔の内面を窄めて、貫通孔内面を貫通孔に貫通させた長尺体の外周面に近接させるようになされている固定具を用いることを特徴とする、傾斜板沈降装置。
【請求項２】
分離部分の一方では、傾斜した面が、貫通孔の水平方向の軸平面と向き合う突出した面となっており、他方の部分では傾斜した面が上記傾斜した面に接触する面であることを特徴とする、請求項１に記載の傾斜板沈降装置。
【請求項３】
分離部分の一方では、傾斜した面が、貫通孔の水平方向の軸平面と向き合う突出した面となっており、且つ、分離部分の一部にだけ設けられ、他方の部分では上記傾斜した面を垂直方向に通過させる窪みを備え、且つ、その窪みが垂行部分と横行部分とからなり、傾斜した面が横行部分に形成されている請求項１又は２に記載の傾斜板沈降装置。
【発明の詳細な説明】
【０００１】
【産業上の利用分野】
この発明は、傾斜板沈降装置に関するものである。とくに、この発明は、特殊な構造の固定具を用いて傾斜板集合体を作り、これを沈澱槽内に設置した傾斜板沈降装置に関するものである。
【０００２】
【従来の技術】
傾斜板沈降装置は、水に含まれている不純物を沈澱させて、水を浄化するのに用いられる。例えば、特公昭６０−２８８６号公報には、図１に示すように、沈澱槽Ａ内に傾斜板集合体Ｂを設置した構造の傾斜板沈降装置が開示されている。傾斜板集合体Ｂは、少なくとも４本の長尺体Ｃを互いに平行に並べ、各長尺体に多数の固定具Ｄを付設し、固定具Ｄに傾斜板Ｅの隅を当接させ、多数の傾斜板Ｅを斜めに傾けて互いに平行に間隔をあけて固定して作られている。傾斜板集合体Ｂは、傾斜板Ｅが垂直面に対して傾斜した状態で沈澱槽Ａ内に置かれる。こうして作られた傾斜板沈降装置では、水が矢印Ｘの方向、すなわち傾斜板Ｅ、Ｅ間を通るようにゆるやかに流され、水に含まれている不純物は傾斜板Ｅの上面側に沿って下方に沈降し、傾斜板沈降装置の底に沈澱して除かれる。
【０００３】
従来の傾斜板集合体Ｂは、これをさらに詳しく説明すると、次のようにして作られていた。例えば、実開昭５６−４４８０７号公報には、図２に示すような構造の傾斜板沈降装置が開示されている。すなわち、まず長尺体Ｃ１、Ｃ２、Ｃ３、Ｃ４に固定具Ｄを適当な間隔をおいて多数固定し、次いでこのような長尺体を４本互いに平行に並べて直方体状の枠を作り、この枠内に傾斜板Ｅを斜めに傾斜させて置き、各傾斜板Ｅの隅を固定具Ｄに固定して傾斜板集合体Ｂとされた。
【０００４】
この場合の固定具Ｄは、図３に示すように長尺体Ｃ１又はＣ２を貫通させるための貫通孔Ｋと、傾斜板Ｅを固定するための固定面Ｊとを持ったものとして一体に作られた。その固定面Ｊは、図３に示したように、傾斜板Ｅを挟み込む細隙として形成されることが多かった。図３に示した固定具Ｄ１は、貫通孔Ｋの一方側に１個の細隙を持つだけであるが、固定具Ｄ２は貫通孔Ｋの両側に細隙を持つものとされた。また、固定面Ｊには孔があけられ、孔に棒あるいはピンＦが通され、棒あるいはピンＦが傾斜板Ｅの隅をも貫通することによって、傾斜板Ｅは固定具Ｄ１及びＤ２（以下この２つの固定具を総称して固定具Ｄという）に固定された。
【０００５】
長尺体Ｃと固定具Ｄとは、何れも水に接触し、あるいは日光に曝されるものであるから、耐蝕性および耐候性の良好な材料で作る必要があった。そのために、長尺体も固定具も合成樹脂で作られ、とくに硬質の塩化ビニル樹脂で作られた。実際には、長尺体Ｃとして押出成形によって作られた硬質塩化ビニル樹脂製のパイプが用いられた。また、固定具Ｄとしては、長尺体Ｃの外径より僅かに内径の大きい貫通孔Ｋを持ち、且つ傾斜板Ｅを挟むための細隙と傾斜板Ｅを固定するための孔とを持った形状に、硬質塩化ビニル樹脂で一体に成形された成形品が用いられた。
【０００６】
このように一体に成形された固定具Ｄは、これを長尺体Ｃに固定するのに、甚だ煩瑣な作業が必要とされた。なぜならば、固定具Ｄの貫通孔Ｋ内に長尺体Ｃの端を挿入し、こうして、多数の固定具Ｄを長尺体Ｃの端から１個ずつ嵌めて所定の位置まで移動させることが必要であり、また固定具Ｄと長尺体Ｃの接触面には接着剤を塗布することが困難であるため、両者の接触部分を溶接して互いに固定せざるを得なかったからである。また、一本の長尺体Ｃに多数の固定具Ｄを溶接する必要があり、しかも、長尺体Ｃに固定具Ｄをほぼ全周溶接する必要があったので、溶接棒を多数の固定具Ｄ夫々について一回転させねばならなかった。また、隣接する固定具Ｄ間の間隔が狭いために、溶接は容易でなかった。さらに、加熱して溶接するのだから、溶接部周辺の材質を劣化させることが避けられなかった。溶接部近傍の材質が劣化すると、傾斜板沈降装置の沈澱槽内の水流によって傾斜板にたえず波打ちが生じ、ひいては長期にわたる繰り返し応力が上記溶接部近傍に加わって、亀裂や割れが発生し易かった。特に、屋外に設置される傾斜板沈降装置の場合、水面上に出ている上段の溶接部は直射日光、風、雨等によって暴露されることになり、いよいよ強度が低下する。そこで、上段に位置する溶接部近傍は、沈澱槽内の水流による長期間の繰り返し応力や、ちょっとした衝撃などが働いた際に、亀裂や割れが発生して損傷することが多かった。
【０００７】
【発明が解決しようとする課題】
この発明は、固定具Ｄを長尺体Ｃに固定するに際し、必要とされる上述のような煩瑣な作業を解消しようとしてなされたものである。また、溶接による材質の劣化をなくそうとしてなされたものである。すなわち、この発明は、固定具Ｄの構造を改良して、固定具Ｄを長尺体Ｃに容易且つ確実に固定できるものにしようとしてなされたものであり、また、材質の劣化をきたす溶接作業をなくそうとしてなされたものである。
【０００８】
【課題解決のための手段】
この発明者は、従来の固定具Ｄに工夫を加え、長尺体Ｃを貫通させるための貫通孔の内面を軸方向に沿って延びる分離面によって少なくとも２部分に分離し、分離によって生じた隙間から長尺体Ｃを通して、固定具を長尺体Ｃの回りに固定することとした。また、分離した２部分同士を結合させるのに、各分離部分に貫通孔の水平方向の軸平面に対して傾斜した摺動面を設けて、一方の部分を軸方向に移動させることにより、互いに貫通孔の内面を窄め、貫通孔内面を貫通孔に貫通させた長尺体Ｃの外周面に近接させることができるようにして、長尺体Ｃの表面に固定具を固定できるようにした。この発明は、このような改良された固定具を用いることを骨子とするものである。
【０００９】
この発明は、少なくとも４本の長尺体を互いに平行に並べ、各長尺体に多数の固定具を付設し、固定具により４本の長尺体間に延びる多数の板を互いに平行に固定するとともに、各傾斜板を垂直面に対して傾斜させて傾斜板集合体を作り、この傾斜板集合体を沈澱槽内に入れてなる傾斜板沈降装置において、上記固定具に上記長尺体が貫通するための貫通孔と、上記傾斜板を固定するための固定面とを設け、固定具を貫通孔の内面を軸方向に沿って延びる分離面を有する摺動部材と残余の固定具本体の少なくとも２部分に分離し、分離によって生じた固定具本体の隙間を上記長尺体が通過できる大きさとし、摺動部材及び固定具本体の各分離部分に貫通孔の水平方向の軸平面に対して傾斜した摺動面を設け、摺動部材または固定具本体の一方を他方に対して上記軸方向に移動させることにより上記傾斜した摺動面に沿って移動させ、互いに貫通孔の内面を窄めて、貫通孔内面を貫通孔に貫通させた長尺体の外周面に近接させるようになされている固定具を用いることを特徴とする、傾斜板沈降装置を提供するものである。
【００１０】
【発明の実施の形態】
この発明をその実施の一例について図面に基づき説明すると、次のとおりである。図４は、この発明に係る傾斜板沈降装置における傾斜板集合体の一部切欠斜視図である。図５は、図４に示した固定具の分解斜視図である。図６は、この発明に係る他の傾斜板沈降装置における傾斜板集合体の一部切欠斜視図である。図７は図６に示した固定具の分解斜視図である。図８は図７に示した固定具の矢印Ｘ方向から見た正面図である。図９は、この発明に係るさらに他の傾斜板沈降装置における傾斜板集合体の一部切欠斜視図である。
【００１１】
図４において、Ｃ１及びＣ２は長尺体であって、この長尺体は何れも硬質塩化ビニル樹脂製のパイプで構成されている。Ｅは傾斜板であって、同じく硬質塩化ビニル樹脂製の板で構成されている。１と２とは硬質塩化ビニル樹脂製の固定具であって、それぞれ長尺体Ｃ１又はＣ２を貫通させるための貫通孔１１と、傾斜板Ｅを固定するための固定面１２とを備えている。固定面１２には、孔１３があけられている。孔１３は、傾斜板Ｅを固定面１２に当接したあとで、そこにボルトを通しナットを嵌めて、傾斜板Ｅを固定具に固定するためのものである。固定具１と２とは、これらの点では従来の固定具と変りがない。
【００１２】
固定具１と２とが従来の固定具と異なるのは、固定具１と２とが分離できる２部分で構成されている、という点である。図５には、図４に示した固定具２を２部分に分離した状態が拡大して示されている。
【００１３】
固定具２は、図５に示したように、分離できる２部分、摺動部材１９と固定具本体１８とで構成されている。すなわち、固定具２は、貫通孔１１の内面を軸方向に沿って延びる分離面Ｈを有する摺動部材１９と残余の固定具本体１８とからなる。その分離は、貫通孔１１の内面をほぼ半円筒状に分割する２個の分割面１７と、各分割面１７から外方へ向かう２つの側面１６とによってなされる。分割面１７は貫通孔１１の水平方向の軸平面と平行、もしくは軸平面内にあり、側面１６は貫通孔１１の垂直方向の軸平面と平行に延びている。従って、摺動部材１９は、これを貫通孔の軸方向に移動させることにより、固定具本体１８に嵌め合わせることも、また固定具本体１８から取り出すこともできる。摺動部材１９を固定具本体１８から取り出すと、固定具本体１８には隙間Ｓができるが、この隙間Ｓは長尺体Ｃ２を通すことができる大きさとされる。そこで、長尺体Ｃ２の端部であろうと中間部であろうと任意の個所を、この隙間Ｓの部分から貫通孔１１内へ直ちに挿入することができる。
【００１４】
図５に示した固定具２では、固定具本体１８の側面１６の上方に突縁１８１が隙間内へ突出する形で設けられており、突縁１８１の下面１８２、すなわち貫通孔１１の内面へ向かう面が、貫通孔１１の軸平面に対して傾斜している。図５では、突縁１８１の下面１８２が、矢印Ｑ方向へ進むに従って、分割面１７からの距離を小さくするように傾斜している。
【００１５】
また、図５に示した摺動部材１９の側面１６の上端部には、上方に向かう突起１６１が付設されている。突起１６１の上面１６２は、摺動部材１９が固定具本体１８に嵌め合わされたとき、丁度固定具本体１８の下面１８２と密接する位置に設けられている。しかも、上面１６２は、下面１８２と同じような傾斜を持ち、矢印Ｑ方向へ進むに従って次第に高さが低くなるように形成されている。
【００１６】
そこで、長尺体Ｃ２を固定具本体１８の隙間Ｓ内に挿入し、長尺体Ｃ２の外周面を貫通孔１１に当接させ、次いで、固定具本体１８の分割面１７と摺動部材１９の分割面１７とを対向させながら、摺動部材１９を固定具本体１８の隙間Ｓ内に軸方向へ嵌め込み、摺動部材１９をさらに矢印Ｑ方向へ進行させると、初めは固定具本体１８の下面１８２が摺動部材１９の上面１６２と離れていて、その間に或る程度の間隙があるが、この間隙は次第に小さくなってゆき、やがて、固定具本体１８の下面１８２と摺動部材１９の上面１６２とが接触する。そして、なおも摺動部材１９を矢印Ｑ方向へ進行させると、摺動部材１９の傾斜した上面１６２は固定具本体１８の傾斜した下面１８２に沿って移動し、固定具本体１８及び摺動部材１９は貫通孔１１の内径を窄めてゆく。こうして、固定具本体１８の隙間Ｓ内に挿入されている長尺体Ｃ２の外径と摺動部材１９の分離面Ｈとが密着し、さらに、摺動部材１９の上面１６２と固定具本体１８の下面１８２とが密着した状態となった時、摺動部材１９はそれ以上Ｑ方向へ進めなくなる。なお、摺動部材１９がＱ方向へどこまで進めるかは、長尺体Ｃ２外径の微妙な寸法誤差によってそれぞれ異なる。ともあれこうして、固定具本体１８、摺動部材１９、長尺体Ｃ２の３者を密着させ、一体的に固定することができる。固定具２は、このような構造にされている。
【００１７】
固定具２を長尺体Ｃ２に固定する際には、まず固定具２を固定具本体１８と摺動部材１９の２部分に分離し、固定具本体１８の貫通孔１１の内面、摺動部材１９の分離面Ｈ、及び長尺体Ｃ２の外周面に接着剤を塗布し、次いで長尺体Ｃ２を固定具本体１８の隙間Ｓ内に挿入し、長尺体Ｃ２の外周面を貫通孔１１に当接させ、その後、摺動部材１９を上述のようにして固定具本体１８に嵌め合わせ、摺動部材１９を矢印Ｑ方向へ進行させる。すると、摺動部材１９の傾斜した上面１６２が固定具本体１８の傾斜した下面１８２に誘導されてゆき、最終的には、長尺体Ｃ２の外径と摺動部材１９の分離面Ｈとが密着し、さらに、摺動部材１９の上面１６２と固定具本体１８の下面１８２とが密着する。こうして、固定具本体１８、摺動部材１９、長尺体Ｃ２の３者を密着させ、この状態で接着剤により一体的に強固に固着することができる。
【００１８】
図６は、固定具３と４とを使用し、傾斜板Ｅを長尺体Ｃ１とＣ２とに固定することにより、傾斜板集合体が構成される態様を示している。図６において、固定具３と４とは、それぞれ長尺体を貫通させるための貫通孔３１及び４１と、傾斜板Ｅが固定されるための固定面３２と４２とを備えている。また固定具３と４とはそれぞれ２部分、摺動部材３９、４９及び固定具本体３８、４８とに分離可能とされており、その分離面Ｈはそれぞれ貫通孔３１又は４１の軸方向に沿って延びている。
【００１９】
固定具４が摺動部材４９と固定具本体４８とに分離された状態が、図７及び図８に拡大して示されている。図７のＸ矢視図が図８である。図７及び図８において、固定具４の分割面４７とこれから延びる側面４６とによって、２部分、つまり摺動部材４９と固定具本体４８とに分離可能とされている。図８には、分割面４７が貫通孔４１の水平方向の軸平面と距離Ｌを隔てて平行な一平面内にあり、側面４６が貫通孔４１の垂直方向の軸平面と平行に延びている状態が示されている。なお、図８においては、固定具本体４８の貫通孔４１の軸平面から分割面４７に至る距離Ｌの部分が、長尺体Ｃ２を挿通させることができるように長尺体Ｃ２の外径よりも大きく設定されている。
【００２０】
摺動部材４９の側面４６には窪み４５が左右対称に形成されている。窪み４５は垂行部分４５１と横行部分４５２とからなる。垂行部分４５１は、摺動部材４９の軸方向の一端４９０に片寄った位置に付設されていて、分割面４７から側面４６に沿い、貫通孔４１の垂直方向の軸平面と平行に延びており、横行部分４５２に接続されている。横行部分４５２は側面４６に沿い貫通孔４１の垂直方向の軸平面と平行に延びている。横行部分４５２の上面４５３は先へ行くほど高さが低くなるように傾斜しており、摺動部材４９の他端４９１近くで止まっている。
【００２１】
固定具本体４８の側面４６の開口端には、開口のほぼ中央部に、貫通孔４１の垂直方向の軸平面に向かう突起４４が付設されている。突起４４は、摺動部材４９の垂行部分４５１を丁度通過できるだけの突出高さと突出幅とを持っている。また突起４４の上面４４１は、横行部分４５２の上面４５３の傾斜に等しい傾斜を持っている。
【００２２】
固定具本体４８と摺動部材４９とが上述のように作られているから、両部分を次のようにして容易に嵌め合わせることができる。まず、摺動部材４９の側面４６を固定具本体４８の側面４６に添わせるとともに窪み４５の垂行部分４５１を突起４４に合わせると、突起４４は垂行部分４５１内に嵌まり込むので、摺動部材４９を固定具本体４８内に下方から上方に向かって押し込む。こうして、突起４４が垂行部分４５１の下端近傍に達するまで、摺動部材４９を固定具本体４８内に挿入する。このとき、摺動部材４９の垂行部分４５１が軸方向の一端４９０に片寄った位置に付設されているので、摺動部材４９の一端４９０と反対がわの他端４９１が固定具本体４８の端面より突出している。
【００２３】
その後、摺動部材４９の突出している部分を固定具本体４８内へ挿入するように貫通孔４１の軸方向に押すと、突起４４が横行部分４５２へ入る。横行部分４５２の上面４５３は他端４９１がわへ行くほど下がり、突起４４の上面もまた同じ方向に傾いているので、摺動部材４９をさらに軸方向へ押すと、傾いた面同士が接触して進み、摺動部材４９と固定具本体４８とで形成される貫通孔４１は互いに貫通孔４１の内面を窄めてゆく。すなわち、貫通孔４１の内面は貫通孔４１に貫通させた長尺体Ｃ２の外周面に次第に接近する。こうして、固定具本体４８と摺動部材４９と長尺体Ｃ２の３者を密着させ、この状態で一体的に固定することができる。
【００２４】
固定具４を長尺体Ｃ２に固定する際には、固定具２の場合と同様に、まず固定具４を固定具本体４８と摺動部材４９の２部分に分離し、固定具本体４８の貫通孔４１の内面、摺動部材４９の分離面Ｈ、及び長尺体Ｃ２の外周面に接着剤を塗布し、長尺体Ｃ２を固定具本体４８の隙間Ｓ内に挿入し、長尺体Ｃ２の外周面を貫通孔４１に当接させる。次いで、固定具本体４８の突起４４と摺動部材４９における窪み４５の垂行部分４５１とを嵌合させ、摺動部材４９を押し上げることによって、摺動部材４９を固定具本体４８内に挿入する。その後、摺動部材４９を固定具本体４８内へ水平方向へ押し込む。すると、摺動部材４９の窪み４５に設けられた横行部分４５２の傾斜した上面４５３が固定具本体４８の突起４４の傾斜した上面４４１に誘導されてゆき、摺動部材４９の分離面Ｈは長尺体Ｃ２の外周面に密着する。こうして、固定具本体４８、摺動部材４９、長尺体Ｃ２の３者を密着させ、この状態で接着剤により一体的に強固に固着することができる。
【００２５】
図６乃至図８に示された固定具４は、図４と図５とに示された固定具２に比べると、分離された２つの部分の嵌め合わせの初めの段階で摺動部材４９を固定具本体４８内に下方から上方へ向かって押し込むことが余分に必要とされる点で異なるだけであって、摺動部材４９を軸方向に移動させて最終的に両部分を嵌め合わせる点では同じである。この差異は、固定具２では嵌め合わせに必要な傾斜した２つの面が、両方ともそれぞれ２つの部分の端から端まで設けられていて、外側から接近可能な場所にあるが、固定具４では、傾斜した２つの面が、共に２つの部分の端から端まで設けられていなくて、しかも摺動部材４９の傾斜した上面４５３が側面４６の窪み４５内に形成されており、外側から接近させて固定具本体４８内に直接挿入することが出来ない構造となっていることに基づいている。
【００２６】
こうして固定具４を長尺体Ｃ２に固定したのち、固定具４の傾斜板固定面４２に傾斜板Ｅを固定する。図６では、傾斜板Ｅは次のようにして固定具３と４とに固定される。まず、上部がへの字状に折曲された傾斜板Ｅの上端部にカバーＧが被せられる。カバーＧは、傾斜板Ｅの折曲された上部をギリシア文字Π（パイ）の字状に覆うとともに、その下端の一方が傾斜板Ｅの傾斜部分に沿って斜め方向に延びて傾斜板Ｅを下方から支えるように、断面が７の字状に形成されている。
【００２７】
図６及び図７の場合、傾斜板Ｅを固定するための固定具３及び４の固定部は３個の係止片からなり、３個の係止片が平行に並び、その間に２個の固定用間隙が形成されている。また、傾斜板Ｅの折曲された上端部は、カバーＧとともに固定用間隙の１つへ入り、カバーＧだけが中央の係止片を包囲して反転している。また、カバーＧの反転した一片は、傾斜板Ｅの手前側の面に沿って垂下するように延びている。この状態で固定具３の孔３３及び固定具４の孔４３内へピンが挿入され、傾斜板Ｅは固定具３と４とによって固定される。
【００２８】
図９は、図６に示した固定具３及び４とほぼ同様の構成とされた固定具５及び６が上下逆に取り付けられている場合を例示している。但し、傾斜板Ｅを固定するための固定部は２個の平行な係止片からなっており、摺動部材５９の上面部分には材料節約の為に凹部が形成されている。
【００２９】
【発明の効果】
この発明によれば、固定具として長尺体が貫通するための貫通孔と、傾斜板が固定されるための固定面とを備えたものを用い、しかも、貫通孔の内面を軸方向に沿って延びる分離面によって少なくとも２部分に分離し、分離によって生じた隙間を長尺体の通過できる大きさとしたので、固定具を分離して貫通孔内に長尺体を挿入することができ、従って長尺体へ固定具を取り付けることが容易である。また、固定具の２部分の各分離部分に貫通孔の水平方向の軸平面に対して傾斜した摺動面を設けたので、２部分の一方を他方に対して軸方向に移動させることにより上記傾斜した摺動面に沿って移動させることができ、２部分からなる貫通孔の内面を互いに窄めて長尺体の外周面に近接させ、固定具を長尺体に容易に固定することができる。また、取り付けに当たって、分離された固定具の２部分および長尺体のそれぞれの当接面に接着剤を塗布しておき、ただちに固定具の２部分及び長尺体の３者を密着させ、この状態で接着剤により一体的に強固に固着することができる。この発明は、このような効果をもたらすものである。
【図面の簡単な説明】
【図１】従来の傾斜板沈降装置の一部切欠斜視図。
【図２】従来の傾斜板沈降装置における傾斜板集合体の一部切欠斜視図。
【図３】従来の傾斜板沈降装置における固定具の使用状態を示した斜視図。
【図４】この発明に係る傾斜板沈降装置における傾斜板集合体の一部切欠斜視図。
【図５】図４に示した固定具２の分解斜視図。
【図６】この発明に係る傾斜板沈降装置における他の傾斜板集合体の一部切欠斜視図。
【図７】図６に示した固定具４の分解斜視図。
【図８】図７に示した固定具４の矢印Ｘ方向から見た正面図。
【図９】この発明に係るさらに他の傾斜板沈降装置における傾斜板集合体の一部切欠斜視図。
【符号の説明】
Ａ                          沈澱槽
Ｂ                          従来の傾斜板集合体
Ｃ                          長尺体
Ｄ                          従来の固定具
Ｅ                          傾斜板
Ｆ                          棒（あるいはピン）
Ｇ                          カバー
Ｈ                          分離面
Ｋ                          貫通孔
Ｓ                          隙間
１、２、３、４、５，６      この発明で使用できる固定具
１１、３１、４１            貫通孔
１２、３２、４２            固定面
１３、３３、４３            孔
１６、４６                  側面
１７、４７                  分割面
１８、３８、４８、５８      固定具本体
１９、３９、４９、５９      摺動部材
４４、１６１                突起
４５                        窪み
１６２                      突起１６１の上面（傾斜面）
１８１                      突縁
１８２                      突縁１８１の下面（傾斜面）
４４１                      突起４４の上面（傾斜面）
４５１                      垂行部分
４５２                      横行部分
４５３                      横行部分４５２の上面（傾斜面）
【図１】
0004794752.tif 000002
【図２】
0004794752.tif 000003
【図３】
0004794752.tif 000004
【図４】
0004794752.tif 000005
【図５】
0004794752.tif 000006
【図６】
0004794752.tif 000007
【図７】
0004794752.tif 000008
【図８】
0004794752.tif 000009
【図９】
0004794752.tif 000010